(57)【要約】【課題】  複数の番組の編集において操作性を高める。【解決手段】  ＤＶＤドライブつきハードディスクレコーダ１は、動画データおよび番組データを記憶するＨＤ装置３と、データをモニタ装置１２に出力する映像出力部７と、データを受付けるリモコン受信部９と、リモコン受信部９が受付けた指定がいずれの番組のいずれの一部の指定に対応するかを表わす特定データを作成し、修正データの内容に対応するように特定データを修正し、ＨＤ装置３が記憶しかつ特定データに対応する動画データの一部を特定する制御部１０と、特定データを記憶するメモリ６と、特定データに対応する動画データの一部をＤＶＤディスクに書込むＤＶＤドライブ２とを含む。【選択図】        図１
2006129055.tif 000002
【特許請求の範囲】
【請求項１】
番組の動画を表わす動画データおよび前記番組を記憶した順番に対応する番号を表わすデータを記憶するハードディスクと、
データを表示装置に出力するための出力手段と、
データを受付けるための受付手段と、
前記出力手段が複数の番組の動画をそれぞれ表わす複数の前記動画データを出力しかつ前記表示装置が前記複数の番組を表示する間に、前記受付手段が前記複数の動画データのいずれかについての一部である指定部を指定する旨のデータを受付けると、前記ハードディスクが動画データを記憶した位置および前記番組を記憶した順番に対応する番号を表わすデータを参照することにより、前記動画データ内における指定部の配置を数値として表わす数値データおよび前記番組を記憶した順番に対応する番号を表わすデータを含む特定データを作成するための作成手段と、
前記出力手段が前記特定データを出力し、前記表示装置が前記特定データの内容を表示し、かつ前記受付手段が前記数値データの修正の内容を表わす修正データを受付けると、前記修正データの内容に対応するように、前記数値データを修正するための修正手段と、
前記特定データを記憶するメモリと、
前記ハードディスクが動画データを記憶した位置および前記番組を記憶した順番に対応する番号を表わすデータを参照することにより、前記ハードディスクが記憶しかつ前記特定データに対応する動画データの一部を特定するための特定手段と、
前記特定データに対応する動画データの一部をＤＶＤディスクに書込むＤＶＤドライブとを含む、ＤＶＤドライブつきハードディスクレコーダ。
【請求項２】
番組の動画を表わす動画データおよび前記番組を互いに区別する番組データを記憶するための第１の記憶手段と、
データを表示装置に出力するための出力手段と、
データを受付けるための受付手段と、
前記出力手段が複数の番組の動画をそれぞれ表わす複数の前記動画データを出力しかつ前記表示装置が前記複数の番組を表示する間に、前記受付手段が前記複数の動画データのいずれかについての一部を指定する旨のデータを受付けると、前記第１の記憶手段が動画データを記憶した位置および前記番号データを参照することにより、前記受付手段がデータとして受付けた指定がいずれの番組のいずれの一部の指定に対応するかを表わす特定データを作成するための作成手段と、
前記出力手段が前記特定データを出力し、前記表示装置が前記特定データの内容を表示し、かつ前記受付手段が前記特定データの修正の内容を表わす修正データを受付けると、前記修正データの内容に対応するように、前記特定データを修正するための修正手段と、
前記特定データを記憶するための第２の記憶手段と、
前記第１の記憶手段が動画データを記憶した位置および前記番号データを参照することにより、前記第１の記憶手段が記憶しかつ前記特定データに対応する動画データの一部を特定するための特定手段と、
前記特定データに対応する動画データの一部を記録媒体に書込むための書込み手段とを含む、動画編集装置。
【請求項３】
前記番組データは、前記番組を記憶した順番に対応するデータを含み、
前記特定データは、前記番組の一部の始点および終点を表わすデータならびに前記番組を記憶した順番に対応するデータを含む、請求項２に記載の動画編集装置。
【請求項４】
前記番組を記憶した順番に対応するデータは、前記番組を記憶した順番に対応する番号を表わすデータを含む、請求項３に記載の動画編集装置。
【請求項５】
前記特定データは、前記動画データ内における受付手段が受付けた一部の配置を表わす配置データおよび前記番組データを含み、
前記修正データは、前記配置データの修正の内容を表わすデータを含む、請求項２に記載の動画編集装置。
【請求項６】
前記配置データは、前記受付手段が受付けた一部の配置を数値として表わすデータを含む、請求項５に記載の動画編集装置。
【発明の詳細な説明】
【技術分野】
【０００１】
本発明は、動画編集装置およびＤＶＤ（Digital Versatile Disc）ドライブつきハードディスクレコーダに関し、特に、いったん録画した映像を編集できる動画編集装置およびＤＶＤドライブつきハードディスクレコーダに関する。
【背景技術】
【０００２】
従来の動画編集装置は、１つの番組を編集する装置であった。複数の番組を編集する場合、それらのうちの１つのダビングを終了させた後、次の番組をダビングすることとなっていた。
【０００３】
特許文献１にかかる記録再生装置は、映像コンテンツを大容量記録媒体とリムーバブルな記録媒体に記録して再生する記録再生装置において、複数の映像コンテンツをリムーバブルな記録媒体に記録する際に、テレビ画面に表示可能な各映像コンテンツのサムネイルを作成して大容量記録媒体に保存する装置と、大容量記録媒体に保存された各映像コンテンツのサムネイルをテレビ画面にサムネイル表示可能なように出力する回路とを含む。
【０００４】
この発明によると、多数の番組をビデオテープなどのリムーバブルな記録媒体に記録した場合に、簡単な操作で所望の番組を所望の順番で再生することができる。
【０００５】
特許文献２にかかる方法は、コンテンツの管理単位としてプログラムタイトルやプレイリストなどの複数のタイトル単位およびこのタイトル単位より小さい単位のチャプタ単位が定義され、コンテンツを再生するための管理情報として、第１のプログラムチェーン情報が定義され、この第１のプログラムチェーン情報は、少なくともチャプタのエントリー位置情報を含み、コンテンツの再生順序および再生部分を編集するために第２のプログラムチェーン情報を得ることができる情報記録再生方法において、編集モードにおいては、チャプタ単位でのエントリー位置情報を、タイトル単位のエントリー位置情報として取扱い、このエントリー位置情報で指定されるタイトルの配列順序を設定する第１のステップと、チャプタ単位でのエントリー位置情報をそのままチャプタ単位でのエントリー位置情報として取扱い、このエントリー位置情報で指定されるチャプタの配列順序を設定する第２のステップと、上記第１および第２のステップで設定された少なくとも一つ以上の配列順序の情報を第２のプログラムチェーン情報に含ませる第３のステップとを含む。
【０００６】
この発明によると、１台の装置内でタイトル単位とこれより小さい単位のチャプタ単位での編集を容易に行うことができる。
【０００７】
特許文献３にかかるデータ伝送装置は、データストリームとその管理情報を記録媒体から読み出す読み出し部と、データストリームの中で、指定された再生区間の再生に必要な部分データストリームに対応する部分管理情報を決定する制御部と、部分データストリーム、および、制御部により決定された部分管理情報を伝送する伝送部とを含む。
【０００８】
この発明によると、記録媒体に記録されているデータの内容を別の記録媒体にコピーした場合においても、記録媒体に記録されているデータの内容、および、再生情報を適切に管理することができる。
【０００９】
特許文献４にかかる情報信号記録装置は、外部装置の記録媒体に記録されている情報信号と情報信号の所定の単位毎の外部装置の記録媒体上の記録位置を示す位置情報との供給を受付ける受付回路と、受付回路を通じて受付けた情報信号を自機の第１の記録媒体に記録する第１の記録装置と、受付回路を通じて受付けた位置情報を情報信号と関連付けて自機のメモリ６に記録する第２の記録装置と、第１の記録媒体に記録された情報信号の目的とする１つ以上の区間の開始点と終了点との指示入力を順次に受付けるようにする指示回路と、指示回路を通じて受付けた開始点に対応する情報信号の位置情報と終了点に対する情報信号の位置情報とをメモリ６から取得する取得回路と、取得回路を通じて取得した開始点に対応する位置情報と終了点に対応する位置情報とを編集情報として、自機のメモリ６に記録する第３の記録装置とを含む。
【００１０】
この発明によると、細やかな編集（たとえば特定のテーマに沿った映像を集める編集）を簡単かつ迅速に行うことができる。
【００１１】
しかしながら、特許文献１に開示された発明および特許文献３に開示された発明では、多数の番組を記録媒体に記録した場合に、それら多数の番組からユーザが希望するシーンを抽出する場合、多くの労力を必要とするという問題点がある。
【００１２】
特許文献２に開示された発明にも、ユーザが映像を編集する場合に、多くの労力を必要とするという問題点がある。編集が次の２つのステップにわかれているためである。第１のステップは、いったん映像すべてに対してチャプタを指定するステップである。第２のステップは、録画する区間（チャプタで区切られる区間）を選択し、かつその区間を録画する順序を決定するステップである。いったんチャプタが指定されるので、ユーザが希望しないシーンも、録画の際の選択の対象となる。指定されたチャプタの数が多くなると、サムネイルが表示されたとしても、どのサムネイルにどのシーンが含まれているか、ユーザが思い出すことは困難になる。どのシーンが含まれているのか思い出すことが困難なので、細やかな編集を簡単かつ迅速に実施することも困難である。
【００１３】
特許文献４に開示された発明では、１つのデータとして取扱うことが困難な複数の番組（たとえばハードディスクレコーダにファイルとして記録された番組）をもとに映像を編集する場合に、細やかな編集を簡単かつ迅速に実施することが困難であるという問題点がある。ユーザが選択したシーンが複数の番組にわたる場合、それらのシーンの開始点や終了点を特定する方法について何ら解決されていないためである。
【特許文献１】特開２００２−１７６６１８号公報
【特許文献２】特開２００２−２７９７６５号公報
【特許文献３】特開２００３−６９７９号公報
【特許文献４】特開２００４−２２１８８４号公報
【発明の開示】
【発明が解決しようとする課題】
【００１４】
本発明は上述の問題点を解決するためになされたものであって、その目的は、複数の番組の編集において操作性が高い動画編集装置およびＤＶＤドライブつきハードディスクレコーダを提供することにある。
【課題を解決するための手段】
【００１５】
上記目的を達成するために、本発明のある局面にしたがうと、ＤＶＤドライブつきハードディスクレコーダは、番組の動画を表わす動画データおよび番組を記憶した順番に対応する番号を表わすデータを記憶するハードディスクと、データを表示装置に出力するための出力手段と、データを受付けるための受付手段と、出力手段が複数の番組の動画をそれぞれ表わす複数の動画データを出力しかつ表示装置が複数の番組を表示する間に、受付手段が複数の動画データのいずれかについての一部である指定部を指定する旨のデータを受付けると、ハードディスクが動画データを記憶した位置および番組を記憶した順番に対応する番号を表わすデータを参照することにより、動画データ内における指定部の配置の配置を数値として表わす数値データおよび番組を記憶した順番に対応する番号を表わすデータを含む特定データを作成するための作成手段と、出力手段が特定データを出力し、表示装置が特定データの内容を表示し、かつ受付手段が数値データの修正の内容を表わす修正データを受付けると、修正データの内容に対応するように、数値データを修正するための修正手段と、特定データを記憶するメモリと、ハードディスクが動画データを記憶した位置および番組を記憶した順番に対応する番号を表わすデータを参照することにより、ハードディスクが記憶しかつ特定データに対応する動画データの一部を特定するための特定手段と、特定データに対応する動画データの一部をＤＶＤディスクに書込むＤＶＤドライブとを含む。
【００１６】
すなわち、作成手段は、出力手段が複数の番組の動画をそれぞれ表わす複数の動画データを出力しかつ表示装置が複数の番組を表示する間に、受付手段が指定部を指定する旨のデータを受付けると、特定データを作成する。作成手段は、ハードディスクが動画データを記憶した位置および番組を記憶した順番に対応する番号を表わすデータを参照することにより、特定データを作成する。特定データは、数値データおよび番組を記憶した順番に対応する番号を表わすデータを含む。数値データは、動画データ内における指定部の配置を数値として表わすデータである。修正手段は、出力手段が特定データを出力し、表示装置が特定データの内容を表示し、かつ受付手段が数値データの修正の内容を表わす修正データを受付けると、修正データの内容に対応するように、数値データを修正する。ＤＶＤドライブは、ハードディスクが記憶しかつ特定データに対応する動画データの一部をＤＶＤディスクに書込む。これにより、番組を記憶した順番に対応する番号および動画データ内における指定部の配置が数値として表示され、かつ動画データの一部を表わすデータが修正された後、ＤＶＤドライブは動画データの一部をＤＶＤディスクに書込む。予め番組を記憶した順番に対応する番号および番組の一部の配置が表示されているので、ＤＶＤディスクに書込まれる番組の一部を容易に修正できる。その結果、複数の番組の編集においてきわめて操作性が高いＤＶＤドライブつきハードディスクレコーダを提供することができる。
【００１７】
本発明の他の局面にしたがうと、動画編集装置は、番組の動画を表わす動画データおよび番組を互いに区別する番組データを記憶するための第１の記憶手段と、データを表示装置に出力するための出力手段と、データを受付けるための受付手段と、出力手段が複数の番組の動画をそれぞれ表わす複数の動画データを出力しかつ表示装置が複数の番組を表示する間に、受付手段が複数の動画データのいずれかについての一部を指定する旨のデータを受付けると、第１の記憶手段が動画データを記憶した位置および番号データを参照することにより、受付手段がデータとして受付けた指定がいずれの番組のいずれの一部の指定に対応するかを表わす特定データを作成するための作成手段と、出力手段が特定データを出力し、表示装置が特定データの内容を表示し、かつ受付手段が特定データの修正の内容を表わす修正データを受付けると、修正データの内容に対応するように、特定データを修正するための修正手段と、特定データを記憶するための第２の記憶手段と、第１の記憶手段が動画データを記憶した位置および番号データを参照することにより、第１の記憶手段が記憶しかつ特定データに対応する動画データの一部を特定するための特定手段と、特定データに対応する動画データの一部を、記録媒体に書込むための書込み手段とを含む。
【００１８】
すなわち、作成手段は、出力手段が複数の番組の動画をそれぞれ表わす複数の動画データを出力しかつ表示装置が複数の番組を表示する間に、受付手段が複数の動画データのいずれかについての一部を指定する旨のデータを受付けると、特定データを作成する。作成手段は、第１の記憶手段が動画データを記憶した位置および番号データを参照することにより、特定データを作成する。修正手段は、出力手段が特定データを出力し、表示装置が特定データの内容を表示し、かつ受付手段が特定データの修正を受付けると、修正データの内容に対応するように、特定データを修正する。書込み手段は、第１の記憶手段が記憶しかつ特定データに対応する動画データの一部を記録媒体に書込む。これにより、特定データの内容を表示装置が表示し、かつ特定データが修正された後、書込み手段は動画データの一部を記録媒体に書込む。予め特定データの内容が表示されているので、記録媒体に書込まれる番組の一部を容易に修正できる。その結果、複数の番組の編集において操作性が高い動画編集装置を提供することができる。
【００１９】
また、上述の番組データは、番組を記憶した順番に対応するデータを含むことが望ましい。あわせて、特定データは、番組の一部の始点および終点を表わすデータならびに番組を記憶した順番に対応するデータを含むことが望ましい。
【００２０】
すなわち、特定データは、番組の一部の始点および終点を表わすデータならびに番組を記憶した順番に対応するデータを含む。表示装置は、番組を記憶した順番に対応するデータを表示する。これにより、ユーザは修正しようとする番組をより容易に知ることができる。修正しようとする番組がより容易に知られるので、記録媒体に書込まれる番組の一部をより容易に修正することが可能になる。その結果、複数の番組の編集においてより操作性が高い動画編集装置を提供することができる。
【００２１】
また、上述の番組を記憶した順番に対応するデータは、番組を記憶した順番に対応する番号を表わすデータを含むことが望ましい。
【００２２】
すなわち、特定データは、番組を記憶した順番に対応する番号を表わすデータを含む。表示装置は、番組を記憶した順番に対応する番号を表示する。これにより、ユーザは修正しようとする番組をさらに容易に知ることができる。修正しようとする番組がさらに容易に知られるので、記録媒体に書込まれる番組の一部をさらに容易に修正することが可能になる。その結果、複数の番組の編集においてさらに操作性が高い動画編集装置を提供することができる。
【００２３】
また、上述の特定データは、動画データ内における受付手段が受付けた一部の配置を表わす配置データおよび番組データを含むことが望ましい。あわせて、修正データは、配置データの修正の内容を表わすデータを含むことが望ましい。
【００２４】
すなわち、特定データは、動画データ内における受付手段が受付けた一部の配置を表わすデータを含む。表示装置は、受付手段が受付けた一部の配置を表示する。修正手段は、配置データの修正の内容に対応するように、番組の一部の配置を修正する。これにより、修正手段は、記録媒体に書込まれる番組の一部の配置をより容易に修正できる。その結果、複数の番組の編集においてより操作性が高い動画編集装置を提供することができる。
【００２５】
また、上述の配置データは、受付手段が受付けた一部の配置を数値として表わすデータを含むことが望ましい。
【００２６】
すなわち、特定データは、受付手段が受付けた一部の配置を数値として表わすデータを含む。表示装置は、動画データの一部の配置を数値として表示する。修正手段は、数値として表わされる動画データの一部の内容に対応するように、番組の一部の配置を修正する。これにより、修正手段は、記録媒体に書込まれる番組の一部をさらに容易に修正できる。その結果、複数の番組の編集においてさらに操作性が高い動画編集装置を提供することができる。
【発明の効果】
【００２７】
本発明に係る動画編集装置およびＤＶＤドライブつきハードディスクレコーダは、複数の番組の編集において操作性が高い。
【発明を実施するための最良の形態】
【００２８】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２９】
図１のＤＶＤドライブつきハードディスクレコーダ１は、複数の種類のデジタル記録メディア再生装置を内蔵し、記録メディアから再生されたコンテンツなど供給される各種コンテンツを、装置外部に予め接続されたモニタ装置１２に映像信号または音声信号として視聴可能なように出力する装置である。
【００３０】
ＤＶＤドライブつきハードディスクレコーダ１は、ＤＶＤ再生装置２、図示されないハードディスクを内蔵し、そのハードディスクに番組の動画を表わす動画データおよび番組を記憶した順番に対応する番号を表わす番組データを記憶するとともにそのハードディスクからデジタル情報のコンテンツを再生するためのＨＤ（Hard Disk）装置３、放送局から送信されるデジタル放送信号ＤＳを受信する外部のアンテナ１３を接続するチューナ４、ＯＳＤ（On Screen Display)５１を内蔵するデコーダ５、複数の動画データのいずれかについての一部の指定がいずれの番組のいずれの一部の指定に対応するかを表わす特定データなどを記憶するメモリ６、映像出力部７、音声出力部８、リモコン（リモートコントローラの略）受信部９、制御部１０、リモコン１１、外部からデジタル情報を供給するための外部装置１５を接続する外部インターフェース（Inter Face）１４を備える。
【００３１】
ＤＶＤドライブ２は光ディスクに記録されたデジタルコンテンツの信号を読出す装置である。ＨＤ装置３は、ユーザ所望のデジタルコンテンツの信号をハードディスクに記憶し、その記憶したデジタルコンテンツの信号を読出す装置である。ここで、ハードディスクに記憶される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００３２】
チューナ４は、アンテナ１３を介して放送局から発信されるデジタル放送信号ＤＳを入力すると、制御部１０により指定されるチャンネルの放送信号（デジタルコンテンツの信号）を抽出して出力する。
【００３３】
デコーダ５は、ＤＶＤドライブ２により再生されたデジタルコンテンツの信号、ＨＤ装置３がハードディスクから読出したデジタルコンテンツの信号、チューナ４が受信したデジタルコンテンツの信号および外部インターフェース１４を介して外部装置１５から入力したデジタルコンテンツの信号のうちのいずれかが制御部１０の切換制御により与えられると、与えられたそのデジタル信号を入力して復号（デコード）して出力する。デコーダ５が内蔵するＯＳＤ５１は制御部１０により与えられた情報に基づいて画像データを生成する。デコーダ５（ＯＳＤ５１が含まれる）は、信号およびデータを映像出力部７に対して出力する。映像出力部７は、データを表示装置（本実施の形態の場合、モニタ装置１２がこれにあたる）に出力する。モニタ装置１２は、自らの画面に映像出力部７が出力したデータをユーザが見得るように表示する。
【００３４】
メモリ６には、チューナ４が受信可能な放送チャンネルが予めチャンネルスキャン（オートスキャン）して取得されて格納され、また、制御部１０の動作プログラムが格納される。音声出力部８は、デコーダ５が復号した音声信号をモニタ装置１２が出力可能な音声信号に変換してモニタ装置１２に対して出力する。リモコン受信部９は、赤外線を介してリモコン１１から発信される各種のデータを受付け、そのデータを制御部１０に伝送する。制御部１０は、メモリ６に格納された動作プログラムに基づいて装置各部の制御を行なう。リモコン１１は、ユーザが各種の指令を入力するために操作される装置であり、該指令に対応する赤外線信号を発信する。
【００３５】
図２を参照して、リモコン１１には外部操作可能なように各種キーが設けられる。各種キーには、モニタ装置１２に表示する番組を切換え指定するために操作されるアップキー１６およびダウンキー１７、ＤＶＤドライブつきハードディスクレコーダ１の電源をＯＮ／ＯＦＦするための電源キー１８、デジタル放送信号ＤＳの受信チャンネルを個別に選択して切換えたり、数値を入力したりするためのテンキー１９、カーソルを上に移すための上キー２０、カーソルを下に移すための下キー２１、カーソルを左に移すための左キー２２、カーソルを右に移すための右キー２３、およびユーザが選択しようとする指令を確定させるための決定キー２４が含まれる。アップキー１６およびダウンキー１７は、デジタル放送信号ＤＳについての受信チャンネルをＵＰ/ＤＯＷＮ操作により順番に切換える。
【００３６】
図３を参照して、ＤＶＤドライブつきハードディスクレコーダ１で実行されるプログラムは、動画の編集に関し、以下のような制御構造を有する。
【００３７】
ステップ１００（以下、ステップをＳと略す。）にて、制御部１０は、ＯＳＤ５１に、編集用の画像を作成する旨の信号を出力する。ＯＳＤ５１は、ＨＤ装置３から、編集用の画像を作成するためのデータを読出す。データが読出されると、ＯＳＤ５１は、編集用の画像を作成する。編集用の画像が作成されると、ＯＳＤ５１は、編集用の画像のデータを映像出力部７に出力する。映像出力部７は、出力されたデータをモニタ装置１２に出力する。モニタ装置１２は、映像出力部７が出力したデータを表示させる。図４を参照して、編集用の画像を説明する。編集用の画像は、サムネイル表示部６２と、左用スクロールボタン６４と、右用スクロールボタン６６と、開始ボタン６８と、編集ボタン７０と、戻るボタン７２と、番組欄７４と、始点欄７６と、終点欄７８とを含む。サムネイル表示部６２は、番組をサムネイルとして表示する。番組を表示するための動画データは、ＨＤ装置３に記憶されている。左用スクロールボタン６４は、サムネイル表示部６２に表示される番組を、サムネイル表示部６２に表示中の番組の１つ前に記憶された番組に変更する旨の指令を受付ける。右用スクロールボタン６６は、サムネイル表示部６２に表示される番組を、サムネイル表示部６２に表示中の番組の１つ後に記憶された番組に変更する旨の指令を受付ける。開始ボタン６８は、番組の編集を開始する旨の指令を受付ける。編集ボタン７０は、サムネイル表示部６２に表示中の動画を、編集の対象として指定する旨の指令を受付ける。戻るボタン７２は、本実施の形態にかかる番組の編集の処理を終了する（すなわち処理を通常の録画や再生のためのルーチンであるメインルーチンに復帰させる）旨の指令を受付ける。番組欄７４は、編集の対象として指定された動画が含まれる番組の番号（ＨＤ装置３に記憶された番組のうち最初に記憶された番組から数えて何番目にあたるかを表わす番号）を表示する。始点欄７６は、編集の対象として指定された動画が表示される時刻（編集の対象として指定された動画が含まれる番組を表示された際、番組の開始から編集の対象として指定された動画が表示されるまでに経過する時間のこと。この時刻は、編集の対象として指定された動画の位置に対応する。）を表示する。終点欄７８は、編集の対象として指定された動画の表示が終了する時刻（編集の対象として指定された動画が含まれる番組を表示された際、番組の開始から編集の対象として指定された動画の表示が終了するまでに経過する時間のこと。この時刻も、編集の対象として指定された動画の位置に対応する。）を表示する。図４の場合、開始ボタン６８の表示が他に対して反転した表示になっている。このことは、開始ボタン６８にカーソルがあることを表わす。
【００３８】
Ｓ１０２にて、デコーダ５は、ＨＤ装置３から動画データを順次読出す。デコーダ５は、読出した動画データを順次サムネイル用のサイズに圧縮する。ＯＳＤ５１は、圧縮したサムネイル用の動画データを含む、編集用の画像の画像データを作成する。ＯＳＤ５１は、作成した画像データを順次映像出力部７に出力する。映像出力部７は、順次画像データをモニタ装置１２に出力する。モニタ装置１２は、出力された画像データを表示する。これにより、サムネイル部６２には動画が表示されることとなる。
【００３９】
Ｓ１０４にて、リモコン受信部９は、リモコン１１からキー入力があった旨の信号を受付ける。信号が受付けられると、リモコン受信部９は、受付けた信号を制御部１０に出力する。カーソルキーが押された場合、制御部１０は、自らが記憶する選択フラグの値を更新する。あわせて、制御部１０は、ＯＳＤ５１に、押されたカーソルキーに応じた更新用の画像を作成する旨の信号を出力する。ＯＳＤ５１は、更新用の画像を作成する。更新用の画像が作成されると、ＯＳＤ５１は、更新用の画像のデータを映像出力部７に出力する。映像出力部７は、出力されたデータをモニタ装置１２に出力する。モニタ装置１２は、映像出力部７が出力したデータを表示させる。これにより、編集用の画像は、カーソルが移動したかのように表示される。本実施の形態において、左用スクロールボタン６４および右用スクロールボタン６６のいずれかにカーソルがある場合、上キー２０が押されるとカーソルは最下段の番組欄７４に移る。左用スクロールボタン６４にカーソルがある場合、下キー２１が押されるとカーソルは開始ボタン６８に移る。右キー２３が押されるとカーソルは右用スクロールボタン６６に移る。右用スクロールボタン６６にカーソルがある場合、下キー２１が押されるとカーソルは戻るボタン７２に移る。左キー２２が押されるとカーソルは左用スクロールボタン６４に移る。開始ボタン６８にカーソルがある場合、上キー２０が押されるとカーソルは左用スクロールボタン６４に移る。下キー２１が押されるとカーソルは最上段の番組欄７４に移る。左キー２２が押されるとカーソルは右用スクロールボタン６６に移る。右キー２３が押されるとカーソルは編集ボタン７０に移る。編集ボタン７０にカーソルがある場合、上キー２０が押されても無視される。下キー２１が押されるとカーソルは最上段の番組欄７４に移る。左キー２２が押されるとカーソルは開始ボタン６８に移る。右キー２３が押されるとカーソルは戻るボタン７２に移る。戻るボタン７２にカーソルがある場合、上キー２０が押されるとカーソルは右用スクロールボタン６６に移る。下キー２１および右キー２３が押されるとカーソルは最上段の番組欄７４に移る。左キー２２が押されるとカーソルは編集ボタン７０に移る。番組欄７４にカーソルがある場合、上キー２０が押されるとカーソルは１つ上の番組欄７４に移る。最上段の番組欄７４にカーソルがあれば、カーソルは戻るボタン７２に移る。下キー２１が押されるとカーソルは１つ下の番組欄７４に移る。最下段の番組欄７４にカーソルがあれば、カーソルは左用スクロールボタン６４に移る。左キー２２が押されるとカーソルは１つ上の終点欄７８に移る。右キー２３が押されるとカーソルは始点欄７６に移る。始点欄７６にカーソルがある場合、上キー２０が押されるとカーソルは１つ上の始点欄７６に移る。最上段の始点欄７６にカーソルがあれば、カーソルは戻るボタン７２に移る。下キー２１が押されるとカーソルは１つ下の始点欄７６に移る。最下段の始点欄７６にカーソルがあれば、カーソルは左用スクロールボタン６４に移る。左キー２２が押されるとカーソルは番組欄７４に移る。右キー２３が押されるとカーソルは終点欄７８に移る。終点欄７８にカーソルがある場合、上キー２０が押されるとカーソルは１つ上の終点欄７８に移る。最上段の終点欄７８にカーソルがあれば、カーソルは戻るボタン７２に移る。下キー２１が押されるとカーソルは１つ下の終点欄７８に移る。最下段の終点欄７８にカーソルがあれば、カーソルは左用スクロールボタン６４に移る。左キー２２が押されるとカーソルは始点欄７６に移る。右キー２３が押されるとカーソルは１つ下の番組欄７４に移る。決定キー２４が押された場合、制御部１０は、その時点の選択フラグの値に対応する選択がなされたとみなす。左用スクロールボタン６４にカーソルがあり、かつ左キー２２が押されると、現在表示中の番組の前に記憶されている番組のサムネイルを表示する。この場合、選択フラグの値は更新されない。ＨＤ装置３に記憶された動画データの位置のうち、デコーダ５により読出される位置が更新される。右用スクロールボタン６６にカーソルがあり、かつ右キー２３が押されると、現在表示中の番組の次に記憶されている番組のサムネイルを表示する。この場合も、選択フラグの値は更新されない。ＨＤ装置３に記憶された動画データの位置のうち、デコーダ５により読出される位置が更新される。それ以外のキーが押された場合、制御部１０は、リモコン受信部９が出力した信号を無視する。
【００４０】
Ｓ１０６にて、制御部１０は、なされた選択が編集ボタン７０を押した旨の選択か否かを判断する。編集ボタン７０を押した旨の選択と判断した場合には（Ｓ１０６にてＹＥＳ）、処理はＳ１０８へと移される。もしそうでないと（Ｓ１０６にてＮＯ）、処理はＳ１１４へと移される。
【００４１】
Ｓ１０８にて、制御部１０は、ユーザが指定しようとする欄が始点欄７６か終点欄７８かを表わす識別フラグの値（本実施の形態の場合、識別フラグの値は制御部１０自身が記憶している）が「０」か否かを判断する。識別フラグの値が「０」と判断した場合には（Ｓ１０８にてＹＥＳ）、処理はＳ１１０へと移される。もしそうでないと（Ｓ１０８にてＮＯ）、処理はＳ１１２へと移される。
【００４２】
Ｓ１１０にて、制御部１０は、デコーダ５から、サムネイル表示部６２に表示中の動画データが記憶されたＨＤ装置３におけるアドレスを読出す。制御部１０は、読出したアドレスをメモリ６に記憶させる。制御部１０は、データテーブルを参照することにより、再生時刻を表わすデータおよび番組番号を表わすデータ（番組データ）のグループを作成する。本実施の形態における「データテーブル」とは、アドレス（ＨＤ装置３が動画データを記憶した位置）、番組番号、および再生時刻を、互いに対応付けたデータテーブルのことである。本実施の形態の場合、このデータテーブルはＨＤ装置３に記憶されている。「再生時刻」とは、動画データの一部（すなわち、サムネイル表示部６２に動画を表示中にユーザが「編集」を選択することで指定した一部）である指定部の始点および終点のいずれかに対応する時刻のことである。「番組番号」とは、ＨＤ装置３において番組を記憶した順番に対応する番号のことである。データのグループが作成されると、制御部１０は、データのグループをメモリ６に記憶させる。あわせて制御部１０は、番組番号および再生時刻をＯＳＤ５１に出力する。ＯＳＤ５１は、番組番号および再生時刻を更新した編集用の画像の画像データを作成する。画像データが作成されると、ＯＳＤ５１は、作成したデータを映像出力部７に出力する。映像出力部７は、出力されたデータをモニタ装置１２に出力する。モニタ装置１２は、出力されたデータを表示する。これにより、始点欄７６に編集しようとする映像の再生時刻が表示される。データが出力されると、制御部１０は、識別フラグの値を「１」に変更する。
【００４３】
Ｓ１１２にて、制御部１０は、デコーダ５から、サムネイル表示部６２に表示中の動画データが記憶されたアドレスを読出す。制御部１０は、読出したアドレスをメモリ６に記憶させる。制御部１０は、データテーブルを参照することにより、再生時刻を表わすデータおよび番組番号を表わすデータ（番組データ）のグループを作成する。データのグループが作成されると、制御部１０は、データのグループをメモリ６に記憶させる。あわせて制御部１０は、番組番号および再生時刻をＯＳＤ５１に出力する。ＯＳＤ５１は、番組番号および再生時刻を更新した編集用の画像の画像データを作成する。画像データが作成されると、ＯＳＤ５１は、作成したデータを映像出力部７に出力する。映像出力部７は、出力されたデータをモニタ装置１２に出力する。モニタ装置１２は、出力されたデータを表示する。これにより、終点欄７８に編集しようとする動画の再生時刻が表示される。データが出力されると、制御部１０は、識別フラグの値を「０」に変更する。
【００４４】
Ｓ１１４にて、制御部１０は、なされた選択が開始ボタン６８を押した旨の選択か否かを判断する。開始ボタン６８を押した旨の選択と判断した場合には（Ｓ１１４にてＹＥＳ）、処理はＳ１１６へと移される。もしそうでないと（Ｓ１１４にてＮＯ）、処理はＳ１１８へと移される。
【００４５】
Ｓ１１６にて、制御部１０は、ＨＤ装置３が記憶したデータを参照することにより、メモリ６から、Ｓ１１０およびＳ１１２にて記憶したアドレスを読出す。これにより、制御部１０は、ＨＤ装置３が記憶しかつ特定データに対応する動画データの一部を特定することとなる。動画データの一部が特定されると、制御部１０は、ＨＤ装置３が記憶した動画データのうち、メモリ６から読出したアドレスで区切られた区間の動画データをＤＶＤドライブ２に出力する。ＤＶＤドライブ２は、出力された動画データをＤＶＤに書込む。
【００４６】
Ｓ１１８にて、制御部１０は、なされた選択が時刻欄（始点欄７６および終点欄７８のいずれか）を指定する旨の選択か否かを判断する。時刻欄を指定する旨の選択と判断した場合には（Ｓ１１８にてＹＥＳ）、処理はＳ１２０へと移される。もしそうでないと（Ｓ１１８にてＮＯ）、処理はＳ１２２へと移される。
【００４７】
Ｓ１２０にて、制御部１０は、ＯＳＤ５１に信号を出力する。ＯＳＤ５１は、映像出力部７に画像のデータを出力する。映像出力部７は、モニタ装置１２に画像のデータを出力する。モニタ装置１２は、ユーザが指定した始点欄７６または終点欄７８の表示を反転させる。表示が反転されると、リモコン１１は、ユーザがテンキー１９から入力した値を送信する。値が送信されると、リモコン受信部９は値を受信する。値が受信されると、リモコン受信部９は受信した値を制御部１０に出力する。値が出力されると、制御部１０は、出力された値の内容に対応するように、メモリ６に記憶された値のうちユーザが指定した欄に対応する値を更新する。あわせて、制御部１０はＯＳＤ５１に信号を出力する。ＯＳＤ５１は、出力された信号に応じて画像データを作成する。画像データが作成されると、ＯＳＤ５１は、作成した画像データを映像出力部７に出力する。映像データ出力部７は、画像データをモニタ装置１２に出力する。モニタ装置１２は、出力された画像データを表示する。これにより、ユーザが指定した欄の値が、ユーザにより指定された値に更新される。
【００４８】
Ｓ１２２にて、制御部１０は、なされた選択が戻るボタン７２を押した旨の選択か否かを判断する。戻るボタン７２を押した旨の選択と判断した場合には（Ｓ１２２にてＹＥＳ）、処理はメインルーチンへと復帰する。もしそうでないと（Ｓ１２２にてＮＯ）、処理はＳ１０４へと移される。
【００４９】
以上のような構造およびフローチャートに基づく、ＤＶＤドライブつきハードディスクレコーダ１の動作について説明する。
【００５０】
ＯＳＤ５１は、編集用の画像を作成する。モニタ装置１２は、編集用の画像を表示させる（Ｓ１００）。編集用の画像が表示されると、モニタ装置１２は、サムネイル部６２に動画を表示する（Ｓ１０２）。
【００５１】
映像出力部７が複数の番組の動画をそれぞれ表わす複数の動画データを出力しかつモニタ装置１２が複数の番組を表示する間に、リモコン受信部９は、リモコン１１からキー入力があった旨の信号を受付ける。信号が受付けられると、制御部１０は、自らが記憶する選択フラグの値を更新する。あわせて、更新用の画像がモニタ装置１２に表示される（Ｓ１０４）。
【００５２】
更新用の画像が表示されると、制御部１０は、なされた選択が編集ボタン７０を押した旨の選択か否かを判断する（Ｓ１０６）。ユーザは、予め編集ボタン７０にカーソルを移動させている。ユーザは、自らが編集したい動画が表示されると、決定キー２４を押す。これにより、編集ボタン７０を押した旨の選択がなされる（リモコン受信部９が複数の動画データのいずれかについての一部を指定する旨のデータを受付ける）ので（Ｓ１０６にてＹＥＳ）、制御部１０は、識別フラグの値が「０」か否かを判断する（Ｓ１０８）。この場合、まだ始点の指定がなされていない（識別フラグの値が「０」である）ので（Ｓ１０８にてＹＥＳ）、制御部１０は、サムネイル表示部６２に表示中の動画の番組番号および再生時刻を特定する。番組番号および再生時刻が特定されると、モニタ装置１２は、始点欄７６に編集しようとする動画の再生時刻を表示させる（Ｓ１１０）。再生時刻が表示されると、リモコン受信部９は、リモコン１１からキー入力があった旨の信号を受付ける（Ｓ１０４）。この場合、ユーザは予めカーソルを左用スクロールボタン６４に移動させている。その後、左キー２２が押されると、現在表示中の番組の前に記憶されている番組のサムネイルを表示する。サムネイルが表示されると、制御部１０は、なされた選択が編集ボタン７０を押した旨の選択か否かを判断する（Ｓ１０６）。カーソルは編集ボタン７０にあるままである。ユーザは、自らが編集したい動画の終点が表示されると、決定キー２４を押す。これにより、編集ボタン７０を押した旨の選択がなされるので（Ｓ１０６にてＹＥＳ）、制御部１０は、識別フラグの値が「０」か否かを判断する（Ｓ１０８）。この場合、ユーザは終点を指定しようとしているので（Ｓ１０８にてＮＯ）、制御部１０は、サムネイル表示部６２に表示中の動画データが記憶されたアドレスをメモリ６に記憶させる。Ｓ１１０およびＳ１１２にて、番組データおよび再生時刻を表わすデータをメモリ６に記憶させることにより、制御部１０は特定データを作成することとなる。本実施の形態の場合、特定データは、数値データおよび番組データを含む。数値データとは、動画データ内における指定部の配置（すなわち、番組を表わす動画データにおける、その一部の配置。その一部は、サムネイル表示部６２にその番組を表示する間にユーザが「編集」を選択することで指定される。）を、数値（すなわち時刻を表わす数値）として表わすデータのことである。本実施の形態の場合、再生時刻を表わすデータがこれにあたる。アドレスが記憶されると、映像出力部７が特定データを出力する。モニタ装置１２は、終点欄７８に編集しようとする映像の再生時刻を表示させる（Ｓ１１２）。再生時刻が表示されると、Ｓ１０４〜Ｓ１１２の処理が繰返される。図５は、このときの編集用の画像を示す図である。
【００５３】
その間に、ユーザが編集しようとする動画の始点を一部変更しようと考えたとする。その場合、ユーザは、カーソルを変更する動画の始点欄７６に移動させる。カーソルが始点に移動すると、ユーザは決定キー２４を押す。決定キー２４が押されると、制御部１０は、なされた選択が編集ボタン７０を押した旨の選択か否かを判断する（Ｓ１０６）。編集ボタン７０を押した旨の選択はなされないので（Ｓ１０６にてＮＯ）、制御部１０は、なされた選択が開始ボタン６８を押した旨の選択か否かを判断する（Ｓ１１４）。開始ボタン６８を押した旨の選択とは判断されないので（Ｓ１１４にてＮＯ）、制御部１０は、なされた選択が始点欄７６を指定する旨の選択か否かを判断する（Ｓ１１８）。始点欄７６を指定する旨の選択と判断されるので（Ｓ１１８にてＹＥＳ）、リモコン１１は、ユーザがテンキー１９から入力した値を送信する。リモコン受信部９がテンキー１９から入力された値（数値データの修正の内容を表わす修正データ）を受付けると、制御部１０は、修正データの内容に対応するように、メモリ６に記憶された値のうちユーザが指定した欄に対応する値を更新する（Ｓ１２０）。値が更新されると、Ｓ１０４〜Ｓ１１２の処理が繰返される。
【００５４】
その後、すべての動画の指定が終了すると、ユーザは予めカーソルを開始ボタン６８に移動させる。カーソルが開始ボタン６８に移されると、ユーザは決定キー２４を押す（Ｓ１０４）。決定キー２４が押されると、制御部１０は、なされた選択が編集ボタン７０を押した旨の選択か否かを判断する（Ｓ１０６）。編集ボタン７０を押した旨の選択はなされないので（Ｓ１０６にてＮＯ）、制御部１０は、なされた選択が開始ボタン６８を押した旨の選択か否かを判断する（Ｓ１１４）。開始ボタン６８を押した旨の選択と判断されるので（Ｓ１１４にてＹＥＳ）、制御部１０は、ＨＤ装置３が記憶する動画データのうち、ユーザが指定した区間（特定データに対応する区間）の動画データをＤＶＤドライブ２に装着したＤＶＤディスクに書込む（Ｓ１１６）。
【００５５】
以上のようにして、本実施の形態に係るＤＶＤドライブつきハードディスクレコーダは、ハードディスクの多数の番組から必要な部分をダビングしようとするとき、番組ごとに必要な部分をピックアップしてゆきそれらに対してプログラムを組む（すなわち、それらをダビングする手順を予め定めておく。）ことにより、ダビングにかかる時間を短縮することができる。さらに、本実施の形態に係るＤＶＤドライブつきハードディスクレコーダにおいて、動画を指定した後にその指定の内容を変更しようとする場合、数値を変更すれば内容が変更される。その結果、複数の番組の編集において操作性が高いＤＶＤドライブつきハードディスクレコーダを提洪できる。
【００５６】
今回開示された実施の形態はすべての点で例示であって制限的なものではないと考えられるべきである。本発明の範囲は上記した説明ではなくて持許請求の範囲によって示され、特許請求の範囲と均等の意味および範囲内でのすべての変更が含まれることが意図される。
【図面の簡単な説明】
【００５７】
【図１】本発明の実施の形態に係るＤＶＤドライブつきハードディスクレコーダの制御ブロック図である。
【図２】本発明の実施の形態に係るリモコンの外観図である。
【図３】本発明の実施の形態に係る動画の編集処理の制御の手順を示すフローチャートである。
【図４】本発明の実施の形態に係る編集用画像の図である。
【図５】本発明の実施の形態に係る編集中の状況を表わす図である。
【符号の説明】
【００５８】
１  ＤＶＤドライブつきハードディスクレコーダ、２  ＤＶＤドライブ、３  ＨＤ装置、４  チューナ、５  デコーダ、６  メモリ、７  映像出力部、８  音声出力部、９  リモコン受信部、１０  制御部、１１  リモコン、１２  モニタ装置、１３  アンテナ、１４  外部インターフェース、１５  外部装置、１６  アップキー、１７  ダウンキー、１８  電源キー、１９  テンキー、２０  上キー、２１  下キー、２２  左キー、２３  右キー、２４  決定キー、５１  ＯＳＤ、６２  サムネイル表示部、６４  左用スクロールボタン、６６  右用スクロールボタン、６８  開始ボタン、７０  編集ボタン、７２  戻るボタン、７４  番組欄、７６  始点欄、７８  終点欄。
【図１】
2006129055.tif 000003
【図２】
2006129055.tif 000004
【図３】
2006129055.tif 000005
【図４】
2006129055.tif 000006
【図５】
2006129055.tif 000007